(57)【要約】  【課題】交互に作用するＧＯＡプルダウン回路のそれぞれの作動時間を現象させて、応力の回復のための時間をさらに多くさせることのできるＧＯＡ回路の構造を提供する。  【解決手段】  ステージが連結した複数の双生ＧＯＡユニットを含み、それぞれの該双生ＧＯＡユニットが第２Ｎ−１ステージＧＯＡユニットと第２ＮステージＧＯＡユニットとを含み、かつ第２Ｎ−１ステージゲート信号点と第２Ｎステージゲート信号点とが接続する第１プルダウンホールディング回路と第２プルダウンホールディング回路と第３プルダウンホールディング回路と第４プルダウンホールディング回路とを具え、第１クローク信号と第２クローク信号と第３クローク信号と第４クローク信号を入力して該第１プルダウンホールディング回路と該第２プルダウンホールディング回路と該第３プルダウンホールディング回路と該第４プルダウンホールディング回路とを交互に作用させ、プルダウンホールディング回路を共有することでそれぞれの部分の作動時間を１／４に、レストタイムを３／４にしてプルダウンホールディング部分のキーポイントＴＦＴの応力の作用を軽減させる。  【選択図】図２
2017510830.tif 000002
【特許請求の範囲】
【請求項１】
ＧＯＡ回路構造であって、ステージが連結した複数の双生ＧＯＡユニットを含み、
Ｎを整数に設定し、第ＮステージＧＯＡユニットが表示領域の第Ｎ水平走査線の充電を制御し、
それぞれの該双生ＧＯＡユニットが第２Ｎ−１ステージＧＯＡユニットと第２ＮステージＧＯＡユニットとを含み、
該第２Ｎ−１ステージＧＯＡユニットが、それぞれ第２Ｎ−１ステージゲート信号点と第２Ｎ−１ステージ水平走査線とが接続する第１プルダウンホールディング回路と第２プルダウンホールディング回路とを含み、
該第２ＮステージＧＯＡユニットが、それぞれ第２Ｎステージゲート信号点と第２Ｎステージ水平走査線とが接続する第３プルダウンホールディング回路と第４プルダウンホールディング回路とを含み、
該２Ｎステージゲート信号点が、該第１プルダウンホールディング回路と第２プルダウンホールディング回路とにそれぞれ接続し、
該第１プルダウンホールディング回路が、第１薄膜トランジスタを含み、かつ該第１薄膜トランジスタはゲートに第２クローク信号を入力し、ドレインに第１クローク信号を入力するとともに、ソースが第１回路ポイントに接続し、該第１プルダウンホールディング回路が作動するか否かを該第１回路ポインの電位の高低によって決定し、
該第２プルダウンホールディング回路が、第２薄膜トランジスタを含み、かつ該第２薄膜トランジスタはゲートに第４クローク信号を入力し、ドレインに第３クローク信号を入力するとともに、ソースが第２回路ポイントに接続し、該第２プルダウンホールディング回路が作動するか否かを該第２回路ポインの電位の高低によって決定し、
該第３プルダウンホールディング回路が、第３薄膜トランジスタを含み、かつ該第３薄膜トランジスタはゲートに第３クローク信号を入力し、ドレインに第２クローク信号を入力するとともに、ソースが第３回路ポイントに接続し、該第３プルダウンホールディング回路が作動するか否かを該第３回路ポインの電位の高低によって決定し、
該第４プルダウンホールディング回路が、第４薄膜トランジスタを含み、かつ該第４薄膜トランジスタはゲートに第１クローク信号を入力し、ドレインに第４クローク信号を入力するとともに、ソースが第４回路ポイントに接続し、該第４プルダウンホールディング回路が作動するか否かを該第４回路ポインの電位の高低によって決定し、
該第１クローク信号と、該第２クローク信号と、該第３クローク信号と、該第４クローク信号とを設置して該第１プルダウンホールディング回路と、該第２プルダウンホールディング回路と、該第３プルダウンホールディング回路と、該４プルダウンホールディング回路とを交互に作動させることを特徴とするＧＯＡ回路の構造。
【請求項２】
第１プルアップクローク信号と、第２プルアップクローク信号と、第３プルアップクローク信号と、第４プルアップクローク信号をそれぞれ第２Ｎ−ステージと、第２Ｎステージと、第２Ｎ＋１ステージと、第２Ｎ＋２ステージＧＯＡユニットのプルアップ回路に入力して、表示領域の対応する水平走査線をそれぞれ充電し、
前記第１クローク信号と、該第２クローク信号と、該第３クローク信号と、該第４クローク信号とが、それぞれ該第１プルアップクローク信号と、該第２プルアップクローク信号と、該第３プルアップクローク信号と、該第４プルアップクローク信号と対応することを特徴とする請求項１に記載のＧＯＡ回路の構造。
【請求項３】
前記第１クローク信号と、該第２クローク信号と、該第３クローク信号と、該第４クローク信号とが、４つの低周波信号であることを特徴とする請求項１に記載のＧＯＡ回路の構造。
【請求項４】
前記第１プルダウンホールディング回路が、第５薄膜トランジスタと、第６薄膜トランジスタと、第７薄膜トランジスタと、第８薄膜トランジスタとを含み、
該第５薄膜トランジスタは、ゲートが該第２Ｎ−１ゲート信号点に接続し、ドレインが該第１回路ポイントに接続し、ソースに直流低電圧を入力し、
該第６薄膜トランジスタは、ゲートが該第１回路ポイントに接続し、ドレインが該第２Ｎ−１ステージゲート信号点に接続し、ソースに直流低電圧を入力し、
該第７薄膜トランジスタは、ゲートが該第１回路ポイントに接続し、ドレインが該第２Ｎ−１ステージ水平走査線に接続し、ソースに直流低電圧を入力し、
該第８薄膜トランジスタは、ゲートが該第２Ｎステージゲート信号点に接続し、ドレインが該第１回路ポイントに接続し、ソースに直流低電圧を入力することを特徴とする請求項１に記載のＧＯＡ回路の構造。
【請求項５】
前記第２プルダウンホールディング回路が、第９薄膜トランジスタと、第１０薄膜トランジスタと、第１１薄膜トランジスタと、第１２薄膜トランジスタとを含み、
該第９薄膜トランジスタは、ゲートが該第２Ｎ−１ゲート信号点に接続し、ドレインが該第２回路ポイントに接続し、ソースに直流低電圧を入力し、
該第１０薄膜トランジスタは、ゲートが該第２回路ポイントに接続し、ドレインが該第２Ｎ−１ステージゲート信号点に接続し、ソースに直流低電圧を入力し、
該第１１薄膜トランジスタは、ゲートが該第２回路ポイントに接続し、ドレインが該第２Ｎ−１ステージ水平走査線に接続し、ソースに直流低電圧を入力し、
該第１２薄膜トランジスタは、ゲートが該第２Ｎステージゲート信号点に接続し、ドレインが該第２回路ポイントに接続し、ソースに直流低電圧を入力することを特徴とする請求項１に記載のＧＯＡ回路の構造。
【請求項６】
前記第３プルダウンホールディング回路が、第１３薄膜トランジスタと、第１４薄膜トランジスタと、第１５薄膜トランジスタと、第１６薄膜トランジスタとを含み、
該第１３薄膜トランジスタは、ゲートが該第２Ｎ−１ゲート信号点に接続し、ドレインが該第３回路ポイントに接続し、ソースに直流低電圧を入力し、
該第１４薄膜トランジスタは、ゲートが該第３回路ポイントに接続し、ドレインが該第２Ｎステージゲート信号点に接続し、ソースに直流低電圧を入力し、
該第１５薄膜トランジスタは、ゲートが該第３回路ポイントに接続し、ドレインが該第２Ｎステージ水平走査線に接続し、ソースに直流低電圧を入力し、
該第１６薄膜トランジスタは、ゲートが該第２Ｎステージゲート信号点に接続し、ドレインが該第３回路ポイントに接続し、ソースに直流低電圧を入力することを特徴とする請求項１に記載のＧＯＡ回路の構造。
【請求項７】
前記第４プルダウンホールディング回路が、第１７薄膜トランジスタと、第１８薄膜トランジスタと、第１９薄膜トランジスタと、第２０薄膜トランジスタとを含み、
該第１７薄膜トランジスタは、ゲートが該第２Ｎ−１ゲート信号点に接続し、ドレインが該第４回路ポイントに接続し、ソースに直流低電圧を入力し、
該第１８薄膜トランジスタは、ゲートが該第４回路ポイントに接続し、ドレインが該第２Ｎステージゲート信号点に接続し、ソースに直流低電圧を入力し、
該第１９薄膜トランジスタは、ゲートが該第４回路ポイントに接続し、ドレインが該第２Ｎステージ水平走査線に接続し、ソースに直流低電圧を入力し、
該第２０薄膜トランジスタは、ゲートが該第２Ｎステージゲート信号点に接続し、ドレインが該第４回路ポイントに接続し、ソースに直流低電圧を入力することを特徴とする請求項１に記載のＧＯＡ回路の構造。
【請求項８】
前記２Ｎ−１ステージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎ−１ステージゲート信号点と該２Ｎ−１ステージ水平走査線とに接続し、
該プルアップ制御回路と該トランスファー回路とが、それぞれ該第２Ｎ−１ステージゲート信号点に接続し、
前記２ＮテージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎステージゲート信号点と該２Ｎ−１ステージ水平走査線とに接続し、
該プルアップ制御回路と該トランスファー回路とが、それぞれ該第２Ｎステージゲート信号点に接続することを特徴とする請求項１に記載のＧＯＡ回路の構造。
【請求項９】
前記第２Ｎ−１ステージＧＯＡユニットのゲート信号点と第２ＮステージＧＯＡユニットのゲート信号点とが接続することを特徴とする請求項１に記載のＧＯＡ回路の構造。
【請求項１０】
前記第２Ｎ−１ステージＧＯＡユニットが、プルアップ制御回路と、キープルダウン回路と、ブートストラップコンデンサとを含んでなり、
該プルアップ回路と、該キープルダウン回路と、該ブートストラップコンデンサとが、それぞれ該第２Ｎ−１ステージゲート信号点と該２Ｎ−１ステージ水平走査線とに接続し、
該２ＮステージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎステージゲート信号点と該２Ｎステージ水平走査線とに接続し、
該プルアップ制御回路と該トランスファー回路とが、それぞれ該第２Ｎステージゲート信号点に接続することを特徴とする請求項１に記載のＧＯＡ回路の構造。
【請求項１１】
ＧＯＡ回路構造であって、複数の双生ＧＯＡユニットを含み、
Ｎを整数に設定し、第ＮステージＧＯＡユニットが表示領域の第Ｎ水平走査線の充電を制御し、
それぞれの該双生ＧＯＡユニットが第２Ｎ−１ステージＧＯＡユニットと第２ＮステージＧＯＡユニットとを含み、
該第２Ｎ−１ステージＧＯＡユニットが、それぞれ第２Ｎ−１ステージゲート信号点と第２Ｎ−１ステージ水平走査線とが接続する第１プルダウンホールディング回路と第２プルダウンホールディング回路とを含み、
該第２ＮステージＧＯＡユニットが、それぞれ第２Ｎステージゲート信号点と第２Ｎステージ水平走査線とが接続する第３プルダウンホールディング回路と第４プルダウンホールディング回路とを含み、
該２Ｎ−１ステージゲート信号点が、該第３プルダウンホールディング回路と第４プルダウンホールディング回路とにそれぞれ接続し、
該第２Ｎステージゲート信号が該第１プルダウンホールディング回路と、該プルダウンホールディング回路とを含み、
該第１プルダウンホールディング回路が、第１薄膜トランジスタを含み、かつ該第１薄膜トランジスタはゲートに第２クローク信号を入力し、ドレインに第１クローク信号を入力するとともに、ソースが第１回路ポイントに接続し、該第１プルダウンホールディング回路が作動するか否かを該第１回路ポインの電位の高低によって決定し、
該第２プルダウンホールディング回路が、第２薄膜トランジスタを含み、かつ該第２薄膜トランジスタはゲートに第４クローク信号を入力し、ドレインに第３クローク信号を入力するとともに、ソースが第２回路ポイントに接続し、該第２プルダウンホールディング回路が作動するか否かを該第２回路ポインの電位の高低によって決定し、
該第３プルダウンホールディング回路が、第３薄膜トランジスタを含み、かつ該第３薄膜トランジスタはゲートに第３クローク信号を入力し、ドレインに第２クローク信号を入力するとともに、ソースが第３回路ポイントに接続し、該第３プルダウンホールディング回路が作動するか否かを該第３回路ポインの電位の高低によって決定し、
該第４プルダウンホールディング回路が、第４薄膜トランジスタを含み、かつ該第４薄膜トランジスタはゲートに第１クローク信号を入力し、ドレインに第４クローク信号を入力するとともに、ソースが第４回路ポイントに接続し、該第４プルダウンホールディング回路が作動するか否かを該第４回路ポインの電位の高低によって決定し、
該第１クローク信号と、該第２クローク信号と、該第３クローク信号と、該第４クローク信号とを設置して該第１プルダウンホールディング回路と、該第２プルダウンホールディング回路と、該第３プルダウンホールディング回路と、該４プルダウンホールディング回路とを交互に作動させ、
第１プルアップクローク信号と、第２プルアップクローク信号と、第３プルアップクローク信号と、第４プルアップクローク信号をそれぞれ第２Ｎ−ステージと、第２Ｎステージと、第２Ｎ＋１ステージと、第２Ｎ＋２ステージＧＯＡユニットのプルアップ回路に入力して、表示領域の対応する水平走査線をそれぞれ充電し、
該第１クローク信号と、該第２クローク信号と、該第３クローク信号と、該第４クローク信号とが、それぞれ該第１プルアップクローク信号と、該第２プルアップクローク信号と、該第３プルアップクローク信号と、該第４プルアップクローク信号と対応し、
該第１クローク信号と、該第２クローク信号と、該第３クローク信号と、該第４クローク信号とが、４つの低周波信号であって、
該第１プルダウンホールディング回路が、第５薄膜トランジスタと、第６薄膜トランジスタと、第７薄膜トランジスタと、第８薄膜トランジスタと、第９薄膜トランジスタと、第１０薄膜トランジスタと、第１１薄膜トランジスタと、第１２薄膜トランジスタと、第１０薄膜トランジスタと、第１２薄膜トランジスタとを含み、
該第５薄膜トランジスタは、ゲートが該第２Ｎ−１ゲート信号点に接続し、ドレインが該第１回路ポイントに接続し、ソースに直流低電圧を入力し、
該第６薄膜トランジスタは、ゲートが該第１回路ポイントに接続し、ドレインが該第２Ｎ−１ステージゲート信号点に接続し、ソースに直流低電圧を入力し、
該第７薄膜トランジスタは、ゲートが該第１回路ポイントに接続し、ドレインが該第２Ｎ−１ステージ水平走査線に接続し、ソースに直流低電圧を入力し、
該第８薄膜トランジスタは、ゲートが該第２Ｎステージゲート信号点に接続し、ドレインが該第１回路ポイントに接続し、ソースに直流低電圧を入力し、
該第９薄膜トランジスタは、ゲートが該第２Ｎ−１ゲート信号点に接続し、ドレインが該第２回路ポイントに接続し、ソースに直流低電圧を入力し、
該第１０薄膜トランジスタは、ゲートが該第２回路ポイントに接続し、ドレインが該第２Ｎ−１ステージゲート信号点に接続し、ソースに直流低電圧を入力し、
該第１１薄膜トランジスタは、ゲートが該第２回路ポイントに接続し、ドレインが該第２Ｎ−１ステージ水平走査線に接続し、ソースに直流低電圧を入力し、
該第１２薄膜トランジスタは、ゲートが該第２Ｎステージゲート信号点に接続し、ドレインが該第２回路ポイントに接続し、ソースに直流低電圧を入力し、
該第３プルダウンホールディング回路が、第１３薄膜トランジスタと、第１４薄膜トランジスタと、第１５薄膜トランジスタと、第１６薄膜トランジスタとを含み、
該第１３薄膜トランジスタは、ゲートが該第２Ｎ−１ゲート信号点に接続し、ドレインが該第３回路ポイントに接続し、ソースに直流低電圧を入力し、
該第１４薄膜トランジスタは、ゲートが該第３回路ポイントに接続し、ドレインが該第２Ｎステージゲート信号点に接続し、ソースに直流低電圧を入力し、
該第１５薄膜トランジスタは、ゲートが該第３回路ポイントに接続し、ドレインが該第２Ｎステージ水平走査線に接続し、ソースに直流低電圧を入力し、
該第１６薄膜トランジスタは、ゲートが該第２Ｎステージゲート信号点に接続し、ドレインが該第３回路ポイントに接続し、ソースに直流低電圧を入力し、
該第４プルダウンホールディング回路が第１７薄膜トランジスタと、第１８薄膜トランジスタと、第１９薄膜トランジスタと、第２０薄膜トランジスタとを含み、
該第１７薄膜トランジスタは、ゲートが該第２Ｎ−１ゲート信号点に接続し、ドレインが該第４回路ポイントに接続し、ソースに直流低電圧を入力し、
該第１８薄膜トランジスタは、ゲートが該第４回路ポイントに接続し、ドレインが該第２Ｎステージゲート信号点に接続し、ソースに直流低電圧を入力し、
該第１９薄膜トランジスタは、ゲートが該第４回路ポイントに接続し、ドレインが該第２Ｎステージ水平走査線に接続し、ソースに直流低電圧を入力し、
該第２０薄膜トランジスタは、ゲートが該第２Ｎステージゲート信号点に接続し、ドレインが該第４」回路ポイントに接続し、ソースに直流低電圧を入力することを特徴とする請求項１に記載のＧＯＡ回路の構造。
【請求項１２】
前記２Ｎ−１ステージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎ−１ステージゲート信号点と該２Ｎ−１ステージ水平走査線とに接続し、
該プルアップ制御回路と該トランスファー回路とが、それぞれ該第２Ｎ−１ステージゲート信号点に接続し、
前記２ＮテージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎステージゲート信号点と該２Ｎ−１ステージ水平走査線とに接続し、
該プルアップ制御回路と該トランスファー回路とが、それぞれ該第２Ｎステージゲート信号点に接続することを特徴とする請求項１１に記載のＧＯＡ回路の構造。
【請求項１３】
前記第２Ｎ−１ステージＧＯＡユニットのゲート信号点と第２ＮステージＧＯＡユニットのゲート信号点とが接続することを特徴とする請求項１１に記載のＧＯＡ回路の構造。
【請求項１４】
前記第２Ｎ−１ステージＧＯＡユニットが、プルアップ制御回路と、キープルダウン回路と、ブートストラップコンデンサとを含んでなり、
該プルアップ回路と、該キープルダウン回路と、該ブートストラップコンデンサとが、それぞれ該第２Ｎ−１ステージゲート信号点と該２Ｎ−１ステージ水平走査線とに接続し、
該２ＮステージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎステージゲート信号点と該２Ｎステージ水平走査線とに接続し、
該プルアップ制御回路と該トランスファー回路とが、それぞれ該第２Ｎステージゲート信号点に接続することを特徴とする請求項１１に記載のＧＯＡ回路の構造。
【発明の詳細な説明】
【技術分野】
【０００１】
この発明は、液晶表示技術に関し、特に一種のＧＯＡ回路の構造に関する。
【背景技術】
【０００２】
液晶表示装置は、装置自体がスリムで、節電、電磁波の輻射がないなどといった長所を具え、広く応用されている。目下市場に出回っている液晶表示装置のほとんどがバックライト型の液晶ディスプレーであって、液晶パネルと、バックライトモジュール（ｂａｃｋｌｉｇｈｔ ｍｏｄｕｌｅ）とを含んでなる。液晶パネルの作動の原理は、平行して設けた２枚のガラス基板の間に液晶分子を設置し、かつ２枚の該ガラス基板に駆動電圧を印加して該液晶分子の配向を制御して、該バックライトモジュールからの光線を屈折させて画面を発生させるものである。
【０００３】
アクティブ・マトリクス駆動方式の液晶ディスプレーは、それぞれの画素が薄膜トランジスタ（ＴＦＴ）を具え、そのゲート（Ｇａｔｅ）には水平走査線が接続し、ドレイン（Ｄｒａｉｎ）は垂直方向のデータ線に接続し、ソース（Ｓｏｕｒｃｅ）は画素電極に接続する。
【０００４】
該水平走査線には十分な電圧を印加することで、印加した該水平走査線上の全ての薄膜トランジスタをオンにする。この場合、該水平走査線上の画素電極は垂直方向の該データ線に接続し、このため該データ線上の表示信号電圧が画素に書き込まれ、異なる液晶の透明度を制御して色彩を制御する効果が得られる。
【０００５】
目下のアクティブ・マトリクス駆動方式の液晶ディスプレーは、水平走査線は、液晶パネルの外部接続によるＩＣによって駆動させている。外部接続のＩＣは、各レベルの水平走査線のレベル順の充電と放電とを制御することができる。
【０００６】
ゲートドライバオンアレイ（Ｇａｔｅ Ｄｒｉｖｅｒ Ｏｎ Ａｒｒａｙ）は、ＧＯＡと略称し、既存の薄膜トランジスタ液晶ディスプレーのアレイ（Ａｒｒａｙ）の製造工程において、ゲート行の走査駆動回路をアレイ基板上に作成し、ゲートに対するプログレッシブスキャンを実現する駆動方式である。よって、液晶表示パネルの既存の製造工程において、水平走査線の駆動回路を表示領域の周辺の基板上に作成し外部接続のＩＣに取って代わり、水平走査線の駆動を実現する。ＧＯＡ技術は外部接続ＩＣのボンディング（ｂｏｎｄｉｎｇ）工程を減らすことができ、生産性を高め、製造コストを低減させることができる。しかも短辺フレーム、もしくはフレームレスの液晶パネルの製造に適合している。
【０００７】
目下のＧＯＡ回路は、縦続接続した複数のＧＯＡユニットを含み、それぞれのＧＯＡユニットは対応する水平走査線を駆動する。ＧＯＡユニットの主な構造は、プルアップ回路（Ｐｕｌｌ−ｕｐ ｐａｒｔ）と、プルアップコントロール回路（Ｐｕｌｌ-ｕｐ ｃｏｎｔｒｏｌ ｐａｒｔ）と、トランスファー回路（Ｔｒａｎｓｆｅｒ  ｐａｒｔ）と、キープルダウン回路（Ｋｅｙ Ｐｕｌｌ−ｄｏｗｎ  ｐａｒｔ）と、プルダウンホールディング回路（Ｐｕｌｌ−ｄｏｗｎ  Ｈｏｌｄｉｎｇ  ｐａｒｔ）と、ブートストラップコンデンサとを含んでなる。
【０００８】
プルアップ回路はクローク（Ｃｌｏｏｋ）信号を出力してゲート（Ｇａｔｅ）信号にし、プルアップコントロール回路はプルアップ回路がオンになっている時間を制御し、  一般には、前面ステージに接続するＧＯＡ回路から転送されるプルダウン信号、又はゲート信号である。キープルダウン回路は第１タイムにおいてゲートをプルダウンして低電位にする。即ち、ゲート信号をオフにする。プルダウンホールディング回路は、ゲートの出力する信号とプルアップ回路のゲート信号と（通常はＱポイントと称する）をオフの状態（即ちマイナス電位）に維持（Ｈｏｌｄｉｎｇ）する。通常は２つのプルダウンホールディングモジュールが交互に作用する。ブートストラップコンデンサ（Ｃ  ｂｏａｓｔ）は、Ｑポイントの二次的なプルアップを行い、このためプルアップ回路へのＧ（Ｎ）の出力に有利になる。
【０００９】
図１は、従来の常用されるＧＯＡ回路の構造を示した説明図である。従来の技術におけるＧＯＡ回路構造の基本は、上述する幾つかの部分を同一ステージのＧＯＡユニットの回路に設置する。特に、アモルファスＧＯＡ回路における比較的重要な２つのプルダウンホールディング回路は、図１に開示するように、同一ステージのＧＯＡ回路に対して交互に作用する。
【００１０】
直流低電圧ＶＳＳ及びＣＫ１〜ＣＫ４を転送する４つの高周波信号の金属線は、それぞれのステージのＧＯＡ回路の周辺領域に設置する。各ステージのＧＯＡユニットは、それぞれ第１プルダウンホールディング回路と第２プルダウンホールディング回路とを具える。第１プルダウンホールディング回路と第２プルダウンホールディング回路はそれぞれＱ（Ｎ）とＧ（Ｎ）との間に接続し、Ｑ（Ｎ）とＧ（Ｎ）とに皇后に差歐してオフの状態を維持する。第ＮステージＧＯＡユニット回路は、それぞれＶＳＳと、ＣＫ１〜ＣＫ４の内の一つのＣＫ信号を受信してＧ（Ｎ）信号を生成する。ＳＴＶ信号はＧＯＡ回路の起動信号であって、このためＳＴＶ信号は第１ステージＧＯＡユニット回路と第２ステージＧＯＡユニット回路とを起動する。後方の第ＮステージＧＯＡ回路の起動信号は、前方のＮ−２ステージ回路のトランスファー回路部分のＳＴ（Ｎ−２）ステージ回路の信号によって生成される。このようにステージ順にＧＯＡ駆動回路をオンにしてラインスキャンを実現する。
【００１１】
図１に開示する各ステージのＧＯＡユニット回路間の接続方法は、ＧＯＡ信号のステージ順の転送を保証し、それぞれのステージの水平走査線はステージ順の充電と放電とを行う。然しながら、係る構造は、なおも足りない部分が存在する。即ち、１、第１プルダウンホールディング回路と第２プルダウンホールディング回路とは交互に作用する。即ち、作動時間とレストタイムとがそれぞれ半分ずつ占める。但し、ＴＦＴにとっては応力（Ｓｔｒｅｓｓ）の痕の回復時間がやはり短めである。このためプルダウンホールディング回路が効力を失う事態の発生は、その他回路の部分より深刻である。２、隣り合う両ステージのＧＯＡユニットのプルダウンホールディング回路とＱポイントとは互いに作用しない。このため回路の実際の作用の効率が低い。ゲート信号は一瞬にすぎず、他の長い時間はオフの状態となる。隣り合う両ステージのＧＯＡユニットのプルダウンホールディング回路が作用する時間とＱポイントの波形は近似する。３、プルダウンホールディング回路の部分は一般に高周波制御信号を採用する。このため回路のパワー消耗が増大する。また２組の低周波制御を採用する場合もあるが、この場合は同時にＴＦＴの応力（Ｓｔｒｅｓｓ）の作用を劇化させる。
【発明の概要】
【発明が解決しようとする課題】
【００１２】
この発明は、ＧＯＡ回路の構造において、交互に作用するＧＯＡプルダウン回路のそれぞれの作動時間を現象させて、応力の回復のための時間をさらに多くさせることのできるＧＯＡ回路の構造を提供することを課題とする。
【課題を解決するための手段】
【００１３】
そこで、本発明者は従来ＧＯＡ回路の構造に見られる欠点に鑑み鋭意研究を重ねた結果、プルダウンホールディング回路を共有し、それぞれの部分の作動時間を１／４にし、かつレストタイムを３／４にすることで、プルダウンホールディング回路の部分のキーポイントのＴＦＴの応力（Ｓｔｒｅｓｓ）の作用を軽減させる構造のＧＯＡ回路の構造によって課題を解決できる点に着眼し、係る知見に基づいて本発明を完成させた。
【００１４】
以下この発明について説明する。請求項１に記載するＧＯＡ回路の構造は、ステージが連結した複数の双生ＧＯＡユニットを含み、
Ｎを整数に設定し、第ＮステージＧＯＡユニットが表示領域の第Ｎ水平走査線の充電を制御し、
それぞれの該双生ＧＯＡユニットが第２Ｎ−１ステージＧＯＡユニットと第２ＮステージＧＯＡユニットとを含み、
該第２Ｎ−１ステージＧＯＡユニットが、それぞれ第２Ｎ−１ステージゲート信号点と第２Ｎ−１ステージ水平走査線とが接続する第１プルダウンホールディング回路と第２プルダウンホールディング回路とを含み、
該第２ＮステージＧＯＡユニットが、それぞれ第２Ｎステージゲート信号点と第２Ｎステージ水平走査線とが接続する第３プルダウンホールディング回路と第４プルダウンホールディング回路とを含み、
該２Ｎステージゲート信号点が、該第１プルダウンホールディング回路と第２プルダウンホールディング回路とにそれぞれ接続し、
該第１プルダウンホールディング回路が、第１薄膜トランジスタを含み、かつ該第１薄膜トランジスタはゲートに第２クローク信号を入力し、ドレインに第１クローク信号を入力するとともに、ソースが第１回路ポイントに接続し、該第１プルダウンホールディング回路が作動するか否かを該第１回路ポインの電位の高低によって決定し、
該第２プルダウンホールディング回路が、第２薄膜トランジスタを含み、かつ該第２薄膜トランジスタはゲートに第４クローク信号を入力し、ドレインに第３クローク信号を入力するとともに、ソースが第２回路ポイントに接続し、該第２プルダウンホールディング回路が作動するか否かを該第２回路ポインの電位の高低によって決定し、
該第３プルダウンホールディング回路が、第３薄膜トランジスタを含み、かつ該第３薄膜トランジスタはゲートに第３クローク信号を入力し、ドレインに第２クローク信号を入力するとともに、ソースが第３回路ポイントに接続し、該第３プルダウンホールディング回路が作動するか否かを該第３回路ポインの電位の高低によって決定し、
該第４プルダウンホールディング回路が、第４薄膜トランジスタを含み、かつ該第４薄膜トランジスタはゲートに第１クローク信号を入力し、ドレインに第４クローク信号を入力するとともに、ソースが第４回路ポイントに接続し、該第４プルダウンホールディング回路が作動するか否かを該第４回路ポインの電位の高低によって決定し、
請求項１における該第１クローク信号と、該第２クローク信号と、該第３クローク信号と、該第４クローク信号とを設置して該第１プルダウンホールディング回路と、該第２プルダウンホールディング回路と、該第３プルダウンホールディング回路と、該４プルダウンホールディング回路とを交互に作動させる。
【００１５】
請求項２に記載するＧＯＡ回路の構造は、  第１プルアップクローク信号と、第２プルアップクローク信号と、第３プルアップクローク信号と、第４プルアップクローク信号をそれぞれ第２Ｎ−ステージと、第２Ｎステージと、第２Ｎ＋１ステージと、第２Ｎ＋２ステージＧＯＡユニットのプルアップ回路に入力して、表示領域の対応する水平走査線をそれぞれ充電し、
該第１クローク信号と、該第２クローク信号と、該第３クローク信号と、該第４クローク信号とが、それぞれ該第１プルアップクローク信号と、該第２プルアップクローク信号と、該第３プルアップクローク信号と、該第４プルアップクローク信号と対応する。
【００１６】
請求項３に記載するＧＯＡ回路の構造は、請求項１における第１クローク信号と、該第２クローク信号と、該第３クローク信号と、該第４クローク信号とが、４つの低周波信号である。
【００１７】
請求項４に記載するＧＯＡ回路の構造は、請求項における第１プルダウンホールディング回路が、第５薄膜トランジスタと、第６薄膜トランジスタと、第７薄膜トランジスタと、第８薄膜トランジスタとを含み、
該第５薄膜トランジスタは、ゲートが該第２Ｎ−１ゲート信号点に接続し、ドレインが該第１回路ポイントに接続し、ソースに直流低電圧を入力し、
該第６薄膜トランジスタは、ゲートが該第１回路ポイントに接続し、ドレインが該第２Ｎ−１ステージゲート信号点に接続し、ソースに直流低電圧を入力し、
該第７薄膜トランジスタは、ゲートが該第１回路ポイントに接続し、ドレインが該第２Ｎ−１ステージ水平走査線に接続し、ソースに直流低電圧を入力し、
該第８薄膜トランジスタは、ゲートが該第２Ｎステージゲート信号点に接続し、ドレインが該第１回路ポイントに接続し、ソースに直流低電圧を入力する。
【００１８】
請求項５に記載するＧＯＡ回路の構造は、請求項１における第２プルダウンホールディング回路が、第９薄膜トランジスタと、第１０薄膜トランジスタと、第１１薄膜トランジスタと、第１２薄膜トランジスタとを含み、
該第９薄膜トランジスタは、ゲートが該第２Ｎ−１ゲート信号点に接続し、ドレインが該第２回路ポイントに接続し、ソースに直流低電圧を入力し、
該第１０薄膜トランジスタは、ゲートが該第２回路ポイントに接続し、ドレインが該第２Ｎ−１ステージゲート信号点に接続し、ソースに直流低電圧を入力し、
該第１１薄膜トランジスタは、ゲートが該第２回路ポイントに接続し、ドレインが該第２Ｎ−１ステージ水平走査線に接続し、ソースに直流低電圧を入力し、
該第１２薄膜トランジスタは、ゲートが該第２Ｎステージゲート信号点に接続し、ドレインが該第２回路ポイントに接続し、ソースに直流低電圧を入力する。
【００１９】
請求項６に記載するＧＯＡ回路の構造は、請求項１における第３プルダウンホールディング回路が、第１３薄膜トランジスタと、第１４薄膜トランジスタと、第１５薄膜トランジスタと、第１６薄膜トランジスタとを含み、
該第１３薄膜トランジスタは、ゲートが該第２Ｎ−１ゲート信号点に接続し、ドレインが該第３回路ポイントに接続し、ソースに直流低電圧を入力し、
該第１４薄膜トランジスタは、ゲートが該第３回路ポイントに接続し、ドレインが該第２Ｎステージゲート信号点に接続し、ソースに直流低電圧を入力し、
該第１５薄膜トランジスタは、ゲートが該第３回路ポイントに接続し、ドレインが該第２Ｎステージ水平走査線に接続し、ソースに直流低電圧を入力し、
該第１６薄膜トランジスタは、ゲートが該第２Ｎステージゲート信号点に接続し、ドレインが該第３回路ポイントに接続し、ソースに直流低電圧を入力する。
【００２０】
請求項７に記載するＧＯＡ回路の構造は、請求項１における第４プルダウンホールディング回路が、第１７薄膜トランジスタと、第１８薄膜トランジスタと、第１９薄膜トランジスタと、第２０薄膜トランジスタとを含み、
該第１７薄膜トランジスタは、ゲートが該第２Ｎ−１ゲート信号点に接続し、ドレインが該第４回路ポイントに接続し、ソースに直流低電圧を入力し、
該第１８薄膜トランジスタは、ゲートが該第４回路ポイントに接続し、ドレインが該第２Ｎステージゲート信号点に接続し、ソースに直流低電圧を入力し、
該第１９薄膜トランジスタは、ゲートが該第４回路ポイントに接続し、ドレインが該第２Ｎステージ水平走査線に接続し、ソースに直流低電圧を入力し、
該第２０薄膜トランジスタは、ゲートが該第２Ｎステージゲート信号点に接続し、ドレインが該第４回路ポイントに接続し、ソースに直流低電圧を入力する。
【００２１】
請求項８に記載するＧＯＡ回路の構造は、請求項１における２Ｎ−１ステージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎ−１ステージゲート信号点と該２Ｎ−１ステージ水平走査線とに接続し、
該プルアップ制御回路と該トランスファー回路とが、それぞれ該第２Ｎ−１ステージゲート信号点に接続し、
前記２ＮテージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎステージゲート信号点と該２Ｎ−１ステージ水平走査線とに接続し、
該プルアップ制御回路と該トランスファー回路とが、それぞれ該第２Ｎステージゲート信号点に接続する。
【００２２】
請求項９に記載するＧＯＡ回路の構造は、請求項１における第２Ｎ−１ステージＧＯＡユニットのゲート信号点と第２ＮステージＧＯＡユニットのゲート信号点とが接続する。
【００２３】
請求項１０に記載するＧＯＡ回路の構造は、請求項１における第２Ｎ−１ステージＧＯＡユニットが、プルアップ制御回路と、キープルダウン回路と、ブートストラップコンデンサとを含んでなり、
該プルアップ回路と、該キープルダウン回路と、該ブートストラップコンデンサとが、それぞれ該第２Ｎ−１ステージゲート信号点と該２Ｎ−１ステージ水平走査線とに接続し、
該２ＮステージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎステージゲート信号点と該２Ｎステージ水平走査線とに接続し、
該プルアップ制御回路と該トランスファー回路とが、それぞれ該第２Ｎステージゲート信号点に接続する。
【００２４】
請求項１１に記載するＧＯＡ回路の構造は、複数の双生ＧＯＡユニットを含み、
Ｎを整数に設定し、第ＮステージＧＯＡユニットが表示領域の第Ｎ水平走査線の充電を制御し、
それぞれの該双生ＧＯＡユニットが第２Ｎ−１ステージＧＯＡユニットと第２ＮステージＧＯＡユニットとを含み、
該第２Ｎ−１ステージＧＯＡユニットが、それぞれ第２Ｎ−１ステージゲート信号点と第２Ｎ−１ステージ水平走査線とが接続する第１プルダウンホールディング回路と第２プルダウンホールディング回路とを含み、
該第２ＮステージＧＯＡユニットが、それぞれ第２Ｎステージゲート信号点と第２Ｎステージ水平走査線とが接続する第３プルダウンホールディング回路と第４プルダウンホールディング回路とを含み、
該２Ｎ−１ステージゲート信号点が、該第３プルダウンホールディング回路と第４プルダウンホールディング回路とにそれぞれ接続し、
該第２Ｎステージゲート信号が該第１プルダウンホールディング回路と、該プルダウンホールディング回路とを含み、
該第１プルダウンホールディング回路が、第１薄膜トランジスタを含み、かつ該第１薄膜トランジスタはゲートに第２クローク信号を入力し、ドレインに第１クローク信号を入力するとともに、ソースが第１回路ポイントに接続し、該第１プルダウンホールディング回路が作動するか否かを該第１回路ポインの電位の高低によって決定し、
該第２プルダウンホールディング回路が、第２薄膜トランジスタを含み、かつ該第２薄膜トランジスタはゲートに第４クローク信号を入力し、ドレインに第３クローク信号を入力するとともに、ソースが第２回路ポイントに接続し、該第２プルダウンホールディング回路が作動するか否かを該第２回路ポインの電位の高低によって決定し、
該第３プルダウンホールディング回路が、第３薄膜トランジスタを含み、かつ該第３薄膜トランジスタはゲートに第３クローク信号を入力し、ドレインに第２クローク信号を入力するとともに、ソースが第３回路ポイントに接続し、該第３プルダウンホールディング回路が作動するか否かを該第３回路ポインの電位の高低によって決定し、
該第４プルダウンホールディング回路が、第４薄膜トランジスタを含み、かつ該第４薄膜トランジスタはゲートに第１クローク信号を入力し、ドレインに第４クローク信号を入力するとともに、ソースが第４回路ポイントに接続し、該第４プルダウンホールディング回路が作動するか否かを該第４回路ポインの電位の高低によって決定し、
該第１クローク信号と、該第２クローク信号と、該第３クローク信号と、該第４クローク信号とを設置して該第１プルダウンホールディング回路と、該第２プルダウンホールディング回路と、該第３プルダウンホールディング回路と、該４プルダウンホールディング回路とを交互に作動させ、
第１プルアップクローク信号と、第２プルアップクローク信号と、第３プルアップクローク信号と、第４プルアップクローク信号をそれぞれ第２Ｎ−ステージと、第２Ｎステージと、第２Ｎ＋１ステージと、第２Ｎ＋２ステージＧＯＡユニットのプルアップ回路に入力して、表示領域の対応する水平走査線をそれぞれ充電し、
該第１クローク信号と、該第２クローク信号と、該第３クローク信号と、該第４クローク信号とが、それぞれ該第１プルアップクローク信号と、該第２プルアップクローク信号と、該第３プルアップクローク信号と、該第４プルアップクローク信号と対応し、
該第１クローク信号と、該第２クローク信号と、該第３クローク信号と、該第４クローク信号とが、４つの低周波信号であって、
該第１プルダウンホールディング回路が、第５薄膜トランジスタと、第６薄膜トランジスタと、第７薄膜トランジスタと、第８薄膜トランジスタと、第９薄膜トランジスタと、第１０薄膜トランジスタと、第１１薄膜トランジスタと、第１２薄膜トランジスタと、第１０薄膜トランジスタと、第１２薄膜トランジスタとを含み、
該第５薄膜トランジスタは、ゲートが該第２Ｎ−１ゲート信号点に接続し、ドレインが該第１回路ポイントに接続し、ソースに直流低電圧を入力し、
該第６薄膜トランジスタは、ゲートが該第１回路ポイントに接続し、ドレインが該第２Ｎ−１ステージゲート信号点に接続し、ソースに直流低電圧を入力し、
該第７薄膜トランジスタは、ゲートが該第１回路ポイントに接続し、ドレインが該第２Ｎ−１ステージ水平走査線に接続し、ソースに直流低電圧を入力し、
該第８薄膜トランジスタは、ゲートが該第２Ｎステージゲート信号点に接続し、ドレインが該第１回路ポイントに接続し、ソースに直流低電圧を入力し、
該第９薄膜トランジスタは、ゲートが該第２Ｎ−１ゲート信号点に接続し、ドレインが該第２回路ポイントに接続し、ソースに直流低電圧を入力し、
該第１０薄膜トランジスタは、ゲートが該第２回路ポイントに接続し、ドレインが該第２Ｎ−１ステージゲート信号点に接続し、ソースに直流低電圧を入力し、
該第１１薄膜トランジスタは、ゲートが該第２回路ポイントに接続し、ドレインが該第２Ｎ−１ステージ水平走査線に接続し、ソースに直流低電圧を入力し、
該第１２薄膜トランジスタは、ゲートが該第２Ｎステージゲート信号点に接続し、ドレインが該第２回路ポイントに接続し、ソースに直流低電圧を入力し、
該第３プルダウンホールディング回路が、第１３薄膜トランジスタと、第１４薄膜トランジスタと、第１５薄膜トランジスタと、第１６薄膜トランジスタとを含み、
該第１３薄膜トランジスタは、ゲートが該第２Ｎ−１ゲート信号点に接続し、ドレインが該第３回路ポイントに接続し、ソースに直流低電圧を入力し、
該第１４薄膜トランジスタは、ゲートが該第３回路ポイントに接続し、ドレインが該第２Ｎステージゲート信号点に接続し、ソースに直流低電圧を入力し、
該第１５薄膜トランジスタは、ゲートが該第３回路ポイントに接続し、ドレインが該第２Ｎステージ水平走査線に接続し、ソースに直流低電圧を入力し、
該第１６薄膜トランジスタは、ゲートが該第２Ｎステージゲート信号点に接続し、ドレインが該第３回路ポイントに接続し、ソースに直流低電圧を入力し、
該第４プルダウンホールディング回路が第１７薄膜トランジスタと、第１８薄膜トランジスタと、第１９薄膜トランジスタと、第２０薄膜トランジスタとを含み、
該第１７薄膜トランジスタは、ゲートが該第２Ｎ−１ゲート信号点に接続し、ドレインが該第４回路ポイントに接続し、ソースに直流低電圧を入力し、
該第１８薄膜トランジスタは、ゲートが該第４回路ポイントに接続し、ドレインが該第２Ｎステージゲート信号点に接続し、ソースに直流低電圧を入力し、
該第１９薄膜トランジスタは、ゲートが該第４回路ポイントに接続し、ドレインが該第２Ｎステージ水平走査線に接続し、ソースに直流低電圧を入力し、
該第２０薄膜トランジスタは、ゲートが該第２Ｎステージゲート信号点に接続し、ドレインが該第４」回路ポイントに接続し、ソースに直流低電圧を入力する。
【００２５】
請求項１２に記載するＧＯＡ回路の構造は、請求項１１における２Ｎ−１ステージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎ−１ステージゲート信号点と該２Ｎ−１ステージ水平走査線とに接続し、
該プルアップ制御回路と該トランスファー回路とが、それぞれ該第２Ｎ−１ステージゲート信号点に接続し、
前記２ＮテージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎステージゲート信号点と該２Ｎ−１ステージ水平走査線とに接続し、
該プルアップ制御回路と該トランスファー回路とが、それぞれ該第２Ｎステージゲート信号点に接続する。
【００２６】
請求項１３に記載するＧＯＡ回路の構造は、請求項１１における第２Ｎ−１ステージＧＯＡユニットのゲート信号点と第２ＮステージＧＯＡユニットのゲート信号点とが接続する。
【００２７】
請求項１４に記載するＧＯＡ回路の構造は、請求項１１における第２Ｎ−１ステージＧＯＡユニットが、プルアップ制御回路と、キープルダウン回路と、ブートストラップコンデンサとを含んでなり、
該プルアップ回路と、該キープルダウン回路と、該ブートストラップコンデンサとが、それぞれ該第２Ｎ−１ステージゲート信号点と該２Ｎ−１ステージ水平走査線とに接続し、
該２ＮステージＧＯＡユニットが、プルアップ制御回路と、プルアップ回路と、トランスファー回路と、キープルダウン回路と、ブートストラップコンデンサとを含んでなり、
該プルアップ回路と、該キープルダウン回路と、該ブートストラップコンデンサとが、それぞれ該第２Ｎステージゲート信号点と該２Ｎステージ水平走査線とに接続し、
該プルアップ制御回路と該トランスファー回路とが、それぞれ該第２Ｎステージゲート信号点に接続する。
【発明の効果】
【００２８】
この発明によるＧＯＡ回路の構造は、プルダウンホールディング回路を共有し、それぞれの部分の作動時間を１／４にし、かつレストタイムを３／４にすることで、プルダウンホールディング回路の部分のキーポイントのＴＦＴの応力（Ｓｔｒｅｓｓ）の作用を軽減させることができ、またＱポイントを共有することでＧＯＡ回路の部分の機能が近似したモジュールを現象させることができ、２つのステージの回路には人須のプルアップ制御回路のみを必要とし、Ｑポイントの電位の第２次ブーストを実現する。よって、ゲート信号の入力に有利となり、４セットの低周波信号を導入してプルダウンホールディング回路を制御して回路のパワーを低減させ、マイナスのＬＣＬにとってマイナスの応力（Ｓｔｒｅｓｓ）回復作用の実現に有利となるという効果が得られる。
【図面の簡単な説明】
【００２９】
【図１】従来のＧＯＡ回路の構造を示した説明図である。
【図２】この発明によるＧＯＡ回路の構造を示した説明図である。
【図３】この発明のＧＯＡ回路の構造の第１の実施の形態による回路の構造を示した説明図である。
【図４】図３に開示する回路構造の入力信号とそれぞれのキーポイントノードの波形を示した説明図である。
【図５】この発明のＧＯＡ回路の構造の第２の実施の形態による回路の構造を示した説明図である。
【図６】図５に開示する回路構造の入力信号とそれぞれのノード信号を示した説明図である。
【図７】図５に開示する回路構造の他の信号受信方法を示した説明図である。
【図８】図７における４セットのプルダウンホールディング回路のＬＣ信号のタイムシーケンス及び信号の受信方法を示した説明図である。
【発明を実施するための形態】
【００３０】
この発明は、ＧＯＡ回路の構造において、交互に作用するＧＯＡプルダウン回路のそれぞれの作動時間を現象させて、応力の回復のための時間をさらに多くさせることのできるＧＯＡ回路の構造を提供するものであって、プルダウンホールディング回路を共有し、それぞれの部分の作動時間を１／４にし、かつレストタイムを３／４にすることで、プルダウンホールディング回路の部分のキーポイントのＴＦＴの応力（Ｓｔｒｅｓｓ）の作用を軽減させる構造を有する。係るＧＯＡ回路の構造の特徴を説明するために、具体的な実施例を挙げ、図面を参照にして以下に詳述する。
【実施例】
【００３１】
図２は、この発明によるＧＯＡ回路構造のマルチステージ構造の説明図である。この発明の提供する新規なＧＯＡ回路構造は、２ステージ毎のＧＯＡ回路によって共有を実現する。特にプルダウンホールディング回路の部分とプルアップコントロール回路の部分のＱポイントは、２ステージ毎のＧＯＡ回路が２ステージ分のゲート（Ｇａｔｅ）波形を出力し、ここでは双生ＧＯＡユニット（Ｔｗｉｎｅｄ−ＧＯＡ）と称す（図２におけるＴ１００の部分）。
【００３２】
それぞれのＴｗｉｎｅｄ−ＧＯＡは、ＣＫ１／ＣＫ２／ＣＫ３／ＣＫ４／ＶＳＳ／ＳＴＶ信号を受信して回路の駆動を実行し、主に２組のゲート波形を出力する。Ｔｗｉｎｅｄ−ＧＯＡにおける４セットのプルダウンホールディング回路は交互に作用する。このため、個々において作動時間は１／４タイムだけである。その他３／４タイムを利用してストレスを回復する。係る方式によって応力（Ｓｔｒｅｓｓ）の作用を大幅に低減させて、ＧＯＡ回路の寿命を延長させることができる。
【００３３】
図３は、この発明によるＧＯＡ回路の構造の第１の実施の形態を示した説明図である。双生ＧＯＡユニットは、主に次の幾つかの部分を含む。即ち、プルアップコントロール回路１００と１００'、第１プルダウンホールディング回路５００、第２プルダウンホールディング回路６００、第３プルダウンホールディング回路５００'、第４プルダウンホールディング回路６００'、ブートストラップコンデンサ７００と７００'（Ｃ  ｂｏａｓｔ）であって、第１プルダウンホールディング回路５００と、第２プルダウンホールディング回路６００と、第３プルダウンホールディング回路５００'と、第４プルダウンホールディング回路６００'と、によって４セットのプルダウンホールディング回路を構成して向後に作動させる。このためストレスの回復を進行させるためのさらに多くの時間を有することができる。
【００３４】
第１プルダウンホールディング回路５００におけるＴ５１ゲート端はＣＫ２に接続する。ドレイン端はＣＫ１に接続する。ソース端はＰ（２Ｎ−１）に接続する。第２プルダウンホールディング回路６００におけるＴ６１ゲート端はＣＫ４に接続する。ドレイン端はＣＫ３に接続する。ソース端はＫ（２Ｎ−１）に接続する。
【００３５】
第３プルダウンホールディング回路５００'におけるＴ５１'ゲート端はＣＫ３に接続する。ドレイン端はＣＫ２に接続する。ソース端はＰ（２Ｎ）に接続する。第４プルダウンホールディング回路６００におけるＴ６１'ゲート端はＣＫ１に接続する。ドレイン端はＣＫ４に接続する。ソース端はＫ（２Ｎ）に接続する。このように、ＣＫ信号の間のタイムシーケンスにおいて重畳する部分は、４つの独立したプルダウンホールディング回路制御信号Ｐ（２Ｎ−１）、Ｋ（２Ｎ−１）、Ｐ（２Ｎ）、Ｋ（２Ｎ）を生成する。
【００３６】
また、Ｔ５２、Ｔ５２'、Ｔ６２、Ｔ６２'のゲート端はＱ（２Ｎ−１）に接続し、Ｔ５４、Ｔ５４'、Ｔ６４、Ｔ６４' のゲート端はＱ（２Ｎ）に接続する。これは主に、ゲート信号を出力する場合に双生ＧＯＡユニット（Ｔｗｉｎｅｄ−ＧＯＡ）のプルダウンホールディング回路をオフにするためである。
【００３７】
図４は、図３に開示する回路構造の入力信号とキーポイントノードの波形を示した説明図である。図面に開示するように、Ｔｗｉｎｅｄ−ＧＯＡ回路のＰ（２Ｎ−１）、Ｋ（（２Ｎ−１）、Ｐ（２Ｎ）、Ｋ（２Ｎ）の作動時間は１／４である。応力の回復時間は３／４である。しかも、図３に開示するＴｗｉｎｅｄ−ＧＯＡ回路のＱ（２Ｎ−１）とＱ（２Ｎ）、Ｇ（２Ｎ−１）とＧ（２Ｎ−１）は独立している。よって、実際にはＰ（２Ｎ−１）とＫ（２Ｎ−１）のみがＱ（２Ｎ−１）とＧ（２Ｎ−１）とを維持（Ｈｏｌｄｉｎｇ）し、Ｐ（２Ｎ）とＫ（２Ｎ）のみがＱ（２Ｎ）とＧ（２Ｎ）とを維持する。即ち、それぞれのステージのＴｗｉｎｅｄ−ＧＯＡ回路のそれぞれのサブ回路は半分の時間のみ維持する。このためＱポイントにとってはリスクが高くなる。よってある程度の変更を必要とする。
【００３８】
図５は、この発明によるＧＯＡ回路構造の第２の実施の形態を示した説明図である。図３と合わせ参照にすると明らかなように、図５に開示する構造は図３に開示する構造のＱ（２Ｎ−１）とＱ（２Ｎ）に対して変更を加えた。即ち、両ステージのＱポイントの共有である（Ｑ  Ｓｈａｒｉｎｇ、ＱＳポイントと略称する）。よって、４セットのプルダウンホールディング回路のＱポイントに対する継続した作用を実現する。したがって、プルダウンホールディング回路の応力の作用を低減させるとともに、図３に開示する回路構造のＱポイントのリスクの問題を解決することができる。
【００３９】
基本的な構造は、共有する一つのプルアップ制御回路１００'と、共有する一つのトランスファー回路３００'と、２つのプルアップ回路２００及び２００'と、２つのキープルダウン回路４００及び４００'と、二つのブートストラップコンデンサ（Ｃ  ｂｏａｓｔ）と、４つの共有するプルダウンホールディング回路と、を含み、係る構造は簡易で実用的であり、応力の作用が弱く、Ｑポイントのリスクが低い。
【００４０】
Ｔ５２、Ｔ６２、Ｔ５２'、Ｔ６２'のゲート端はＱＳポイントに接続し、ドレイン端は、それぞれＰ（２Ｎ−１）、Ｋ（２Ｎ−１）、Ｐ（２Ｎ）、Ｋ（２Ｎ）に接続する。ソース端は、いずれも直流定電圧ＶＳＳに接続し、主にＱＳが高電位時にプルダウンホールディング回路をオフにする。Ｔ４１'は、主にＱＳポイントの電荷を放出する。Ｔ３１はＧ（２Ｎ−１）をプルダウンする。ＱＳがオンの場合Ｔ２１はＧ（２Ｎ−１）の放出をサポートする。このためＴ３１'のサイズは小さ目になる。Ｔ３１'はＧ（２Ｎ）をプルダウンし、Ｔ２２'は双生ＧＯＡユニット回路のトランスファー信号とする。
【００４１】
図６は図５に開示する回路構造の制御信号と各ノード信号の説明図である。図面に開示するように、ＱＳ（Ｎ）ポイントの変化は比較的複雑であって、複数回のブーストを実現することができる。ＳＴＶ信号は回路の起動信号であって、走査を開始する場合にのみオンとなる。後方の直線状の箇所は低電位である。ＣＫ信号のデューティー比（Ｄｕｔｙ  Ｒａｔｉｏ）は５０％である。利用時のクローク信号の重畳する部分にＰ（２Ｎ―１）、Ｋ（２Ｎ―１）、Ｐ（２Ｎ）、Ｋ（２Ｎ）ポイントのプルダウン制御信号を生成する。後方のステージの双生ＧＯＡユニットのトランスファー信号は偶数ステージのＧＯＡサブ回路のみに接続する。よってタイムシーケンス上ＣＫ２とＣＫ４とがちょうど同様になる。係る方式は主にＱポイントを共有する場合に発生する充電ミスを避けることができる。
【００４２】
ＱＳ（Ｎ）ポイントには、３回ブーストする機会が発生する。第１回目は転送信号がプルアップ制御回路に入力するＴ１１'であって、２回目はＣＫ１、又はＣＫ３の信号がＧ２（２Ｎ−１）に入力することによって、３回目はＣＫ２、又はＣＫ４の信号がＧ（２Ｎ）に入力することによって発生する。係る機会は図面に開示するＱＳ（Ｎ）ポイントの電位の変化を発生させる。
【００４３】
図７は、図５に開示する回路構造の他の信号受信方法を示した説明図である。４セットのプルダウンホールディング回路は、それぞれ４セットの低周波数、又は超低周波数信号（ＬＣ）が入力して、図面に開示するＰ（２Ｎ―１）、Ｋ（２Ｎ―１）、Ｐ（２Ｎ）、Ｋ（２Ｎ）信号を生成する。しかもＬＬＣＬ（低周波数信号低電位）には直流定電圧ＶＳＳを設置することができる。このため、３／４のレストタイムで一つの負圧回復作用を進行させることができる。係る方式は応力の作用の軽減に有利であり、パワーを低減させることができる。但し、レイアウトの配線上の難度を高めることはない。
【００４４】
この発明はクローク信号の転移と、ＧＯＡプルダウン回路の共有と、Ｑポイントの共有によって、それぞれのプルダウンホールディング回路の作動時間の半減を実現し、さらに多くの時間で応力回復を進行させ、主要なプルダウンＴＦＴの応力作用を低減させる。４セットの低周波数信号を採用することでパワーを低減させ、しかも低周波数信号のマイナス電位を制御することによってプルダウンホールディング回路の主要なプルダウンＴＦＴの応力の作用を、さらに好ましく回復することができる。
【００４５】
図８は、図７に開示する４セットのプルダウンホールディング回路のＬＣ信号のタイムシーケンス及び信号受信方法を示した説明図である。Ｔ５１ゲートはＬＣ２に接続し、ドレイン端はＬＣ１に接続し、ソース端はＰ（２Ｎ−１）に接続する。Ｔ６ゲートはＬＣ４に接続し、ドレイン端はＬＣ３に接続し、ソース端はＫ（２Ｎ−１）に接続する。Ｔ５１'ゲート端はＬＣ３に接続し、ドレイン端はＬＣ２に接続し、ソース端はＰ（２Ｎ）に接続する。Ｔ６１'ゲート端はＬＣ１に接続し、ソース端はＫ（２Ｎ）に接続する。係る方式によりＬＣ信号のタイムシーケンスの重畳する部分を利用して４つの独立したプルダウンホールディング信号Ｐ（２Ｎ−１）、Ｋ（２Ｎ−１）、Ｐ（２Ｎ）、Ｋ（２Ｎ）を生成する。
【００４６】
この発明で採用する高周波信号ＣＫ１、ＣＫ２、ＣＫ３、ＣＫ４は同一の波形を選択して、順に四分の一周期の差のクローク信号としてもよい。低周波信号も同様の選択をすることができる。
【００４７】
以上をまとめると、この発明によるＧＯＡ回路の構造は次に掲げる長所を具える。即ち、２つのステージのＧＯＡ回路のプルダウンホールディング回路を共有することで４セットのプルダウンホールディング回路の作用を発生させて次のステージのＧＯＡ回路に該作用を与えることができる。このため、それぞれの回路は１／４の時間のみを必要とし、他の３／４の時間によって応力回復を進行させる。よって、応力の作用を軽減させることになり、プルダウンホールディング回路の使用寿命を延長することができる。
【００４８】
また、隣り合うステージのＱポイントを共有してＴｗｉｎｅｄ−ＧＯＡの構造を構成することで、回路の簡易化とＱポイントの複数回のブーストを実現することができる。
【００４９】
また、２つのステージのＧＯＡ回路のプルダウンホールディング回路を共有してから入力する制御信号は本来の高周波クローク信号を採用することができ、２つずつ１セットの形式でＴＦＴのゲート端とドレイン端とを接続する。また別途４セットの低周波、もしくは超低周波信号を加えて回路のパワーを低減させるようにしてもよく、低周波信号の低電位によっても、さらにこの末子応力回復の作用が得られる。
【００５０】
以上述べた内容に基づき、またこの発明の提供する技術とその思想に基づき、当業者は相応の変化、変更を行うことができるが、これら変化、変更は、いずれもこの発明の特許請求の範囲に含まれるものとする。
【符号の説明】
【００５１】
１００    プルアップコントロール回路
１００'    プルアップコントロール回路
２００    プルアップコントロール回路
２００'    プルアップコントロール回路
３００    トランスファー回路
３００'    トランスファー回路
４００    キープルダウン回路
４００'    キープルダウン回路
５００    第１プルダウンホールディング回路
５００'    第３プルダウンホールディング回路
６００    第２プルダウンホールディング回路
６００'    第４プルダウンホールディング回路
７００    ブートストラップコンデンサ
７００'    ブートストラップコンデンサ
【図１】
2017510830.tif 000003
【図２】
2017510830.tif 000004
【図３】
2017510830.tif 000005
【図４】
2017510830.tif 000006
【図５】
2017510830.tif 000007
【図６】
2017510830.tif 000008
【図７】
2017510830.tif 000009
【図８】
2017510830.tif 000010
【国際調査報告】
2017510830.tif 000011
2017510830.tif 000012
2017510830.tif 000013
2017510830.tif 000014